(57)【要約】【課題】本発明は積層型キャパシタに関するもので、特に使用者が直接等価直列抵抗（ＥＳＲ）を調節することができるデカップリング用積層型キャパシタに関する。【解決手段】積層型キャパシタは、複数の誘電体層が積層され形成されたキャパシタ本体を有する。複数の第１及び第２内部電極は上記本体内で上記誘電体層を介して異なる極性の内部電極が対向するように交互に配置され、複数の第１及び第２外部電極は上記キャパシタ本体の表面に提供される。また、少なくとも一極性の内部連結導体を含む。上記内部連結導体は同じ極性の外部電極に夫々連結され、上記内部連結導体と同じ極性の内部電極は少なくとも１つの内部電極を含む複数のグループに分かれる。また、上記各グループの内部電極は同じ極性の外部電極のうち異なる外部電極に連結されその連結された外部電極を通じ上記内部連結導体に電気的に連結される。【選択図】図４
2011181976.tif 000002
【特許請求の範囲】
【請求項１】
複数の誘電体層が積層され形成されたキャパシタ本体と、
前記本体内で前記誘電体層を介して異なる極性の内部電極が対向するように交互に配置された複数の第１及び第２内部電極と、
前記本体内で前記誘電体層を介して異なる極性の内部電極と隣接するように配置された少なくとも一極性の内部連結導体と、
前記本体の表面に形成された複数の第１及び第２外部電極を含み、
前記内部連結導体は同じ極性の外部電極に夫々連結され、
前記内部連結導体と同じ極性の内部電極は少なくとも１つの内部電極を含む複数のグループに分かれ、前記各グループの内部電極は同じ極性の外部電極のうち異なる外部電極に連結され、その連結された外部電極を通じ前記内部連結導体に電気的に連結されたことを特徴とする積層型キャパシタ。
【請求項２】
前記少なくとも一極性の内部連結導体は、少なくとも１つの第１及び第２内部連結導体を含み、
前記第１及び第２内部電極は夫々少なくとも１つの内部電極を含む複数のグループに分かれ、前記各グループの第１及び第２内部電極は同じ極性の第１及び第２外部電極に連結されるがグループ別に異なる外部電極に連結され、その連結された外部電極を通じ夫々前記第１及び第２内部連結導体に電気的に連結されたことを特徴とする請求項１に記載の積層型キャパシタ。
【請求項３】
前記第１及び第２外部電極のうち少なくとも一極性の外部電極は、該当極性の内部連結導体に連結され、該当極性の内部電極には連結されない外部電極を含むことを特徴とする請求項２に記載の積層型キャパシタ。
【請求項４】
前記第１及び第２内部電極は、同じ数の外部電極に連結されたことを特徴とする請求項１から請求項３の何れかに記載の積層型キャパシタ。
【請求項５】
前記第１及び第２内部電極のうち少なくとも一極性の内部電極は該当極性の外部電極のうち複数の外部電極に夫々連結されたことを特徴とする請求項１から請求項４の何れかに記載の積層型キャパシタ。
【請求項６】
少なくとも一グループの内部電極は、他のグループの内部電極が連結された外部電極にさらに連結されたことを特徴とする請求項１から請求項５の何れかに記載の積層型キャパシタ。
【請求項７】
前記第１及び第２外部電極は、異なる極性の外部電極が隣接するように配置されたことを特徴とする請求項１から請求項６の何れかに記載の積層型キャパシタ。
【請求項８】
前記第１及び第２外部電極は、前記本体の対向する両側面に形成され、前記両側面に形成された同じ数の外部電極が位置するように配列されたことを特徴とする請求項７に記載の積層型キャパシタ。
【請求項９】
前記第１及び第２外部電極は異なる極性の外部電極が前記両側面の対応領域に位置するように配列されたことを特徴とする請求項８に記載の積層型キャパシタ。
【請求項１０】
前記本体は、対向する第１及び第２主面とその間に位置した４つの側面を有する長方形構造で、
前記第１及び第２外部電極は、前記４つの側面にわたって形成され、前記対向する両側面で同じ数の外部電極が位置するように配列されたことを特徴とする請求項７に記載の積層型キャパシタ。
【請求項１１】
前記第１及び第２外部電極は、異なる極性の外部電極が前記対向する両側面の対応領域に位置するように配列されたことを特徴とする請求項１０に記載の積層型キャパシタ。
【請求項１２】
前記第１及び第２内部連結導体は、前記第１及び第２内部電極の重畳領域に対応する重畳領域を有することを特徴とする請求項２に記載の積層型キャパシタ。
【請求項１３】
前記キャパシタ本体は、前記誘電体層の積層方向に従って形成され互いが反対に位置した第１及び第２面とその間に位置した側面を有し、前記キャパシタ本体の第１及び第２面のうちいずれかの面が実装面として提供され、
前記複数の第１及び第２外部電極のうち２つの外部電極は前記積層方向に従って形成される対向する両側面に夫々形成され、残りの他の外部電極は前記本体の第１及び第２面に少なくとも１つずつ形成され、
前記第１及び第２面のうち実装面として提供された面に形成された外部電極は前記側面に形成された外部電極と共に少なくとも１対の第１及び第２外部電極を含むことを特徴とする請求項１または請求項２に記載の積層型キャパシタ。
【請求項１４】
前記キャパシタ本体は、前記誘電体層の積層方向に従って形成され互いが反対に位置した第１及び第２面とその間に位置した側面を有し、前記キャパシタ本体の第１及び第２面のうちいずれかの面が実装面として提供され、
前記複数の第１及び第２外部電極は夫々３つ以上で、前記本体の第１及び第２面に夫々反対極性の外部電極が隣接するように同じ数で形成されたことを特徴とする請求項１または請求項２に記載の積層型キャパシタ。
【請求項１５】
複数の誘電体層が積層され形成されたキャパシタ本体と、
前記本体内で前記誘電体層を介して異なる極性の内部電極が対向するように交互に配置された複数の第１及び第２内部電極と、
前記本体の表面に形成されたｍ個（ｍ≧３）の第１及び第２外部電極を含み、
少なくとも一極性の内部電極は少なくとも１つの内部電極を含む複数のグループに分かれ、前記各グループの内部電極はｎ個（２≦ｎ＜ｍ）の外部電極に夫々連結され、
前記各グループの内部電極に連結された外部電極のうち少なくとも１つは他のグループの内部電極に連結された外部電極と相違で、全てのグループの内部電極が互いに電気的に連結されるように一グループの内部電極が他の一グループの内部電極に連結された外部電極に共通的に連結されることを特徴とする積層型キャパシタ。
【請求項１６】
少なくとも一極性の内部電極は前記第１及び第２内部電極で、
前記第１及び第２内部電極は、少なくとも１つの内部電極を含む複数のグループに分かれ、前記各グループの内部電極はｎ個（２≦ｎ＜ｍ）の同じ極性の外部電極に夫々連結され、
各極性の内部電極で、前記各グループの内部電極に連結された外部電極のうち少なくとも１つは他のグループの内部電極に連結された外部電極と相違で、全てのグループの内部電極が互いに電気的に連結されるように一グループの内部電極が他の一グループの内部電極に連結された外部電極に共通的に連結されることを特徴とする請求項１５に記載の積層型キャパシタ。
【発明の詳細な説明】
【技術分野】
【０００１】
本発明は積層型キャパシタに関するもので、特に使用者が直接等価直列抵抗（ＥＳＲ）を調節することができるデカップリング用積層型キャパシタに関するものである。
【背景技術】
【０００２】
一般的に、積層型チップキャパシタ（ＭＬＣＣ）は、複数の誘電体層の間に異なる極性の内部電極が交互に積層された構造を有する。このようなＭＬＣＣは小型化が可能でありながらも高容量が保障され実装が容易であるという長所により多様な電子装置の部品として広く用いられる。
【０００３】
特に、コンピュータ等の中央処理装置（ＣＰＵ）のための電源供給装置は低い電圧を提供する過程で負荷電流の急激な変化により電圧ノイズが発生する問題がある。従って、このような電圧ノイズを抑えるためのデカップリングキャパシタの用途に積層型キャパシタが電源供給装置に広く用いられている。
【０００４】
デカップリング用積層型チップキャパシタは、動作周波数が増加するにつれより低いＥＳＬ値を有することが求められ、このようなＥＳＬを減少させるために多くの研究が活発に行われている。
【０００５】
また、より安定的な電源供給のために、デカップリング用積層型キャパシタは調節が可能なＥＳＲ特性が求められる。
【０００６】
積層型キャパシタのＥＳＲ値が求められる水準より低い場合には、キャパシタのＥＳＬとマイクロプロセッサパッケージのプレーンキャパシタンス（ｐｌａｎｅ  ｃａｐａｃｉｔａｎｃｅ）により発生する並列共振周波数におけるインピーダンスピークが高くなり、キャパシタの直列共振周波数におけるインピーダンスは非常に低くなるという問題がある。
【０００７】
従って、使用者が電力分配網の平坦な（ｆｌａｔ）インピーダンス特性を具現することができるようにデカップリング用積層型キャパシタのＥＳＲ特性を容易に調節して提供されることが好ましい。
【０００８】
ＥＳＲ調節と関連して、外部電極及び内部電極を高い電気的抵抗を有する材料を用いる方案を考慮することができる。このような材料の変更を通じた方案は従来の低ＥＳＬ構造を維持しながら高ＥＳＲ特性を提供することができるという長所がある。
【０００９】
しかし、高抵抗物質を外部電極に用いる場合、ピンホール（ｐｉｎ  ｈｏｌｅ）による電流の集中現象を引き起こす局部的熱点（ｌｏｃａｌｉｚｅｄ  ｈｅａｔ  ｓｐｏｔ）が発生するという問題点がある。また、内部電極に高抵抗材料を用いる場合、高容量化によるセラミックス材料とのマッチングのために内部電極の材料も続けて変更しなければならないという短所がある。
【００１０】
これと異なるＥＳＲ改善方案として、特許文献１はリーケージ電極（Ｌｉｎｋａｇｅ  ｅｌｅｃｔｒｏｄｅ）をキャパシタ本体の外部に適用することにより内部電極をリーケージ電極を通じ直列に連結させる方案がある。
【００１１】
しかし、上述の方案は全てキャパシタの製造者により実行されるＥＳＲ調節方案であるという短所がある。即ち、使用者の要求及び適用製品により所望の特定の等価直列抵抗を有するように電極構造を改善し設計／製造される。このような問題は、上述した材料を変更する方案も同様である。
【００１２】
従って、従来のＥＳＲ調節方案は、キャパシタの製造者の立場では使用者の要求及び適用製品の条件により多様なＥＳＲ特性を満たす製品を個別的に製造しなければならないという難点があり、キャパシタの使用者の立場では必要なＥＳＲ条件により個別的に製品を選択しなければならないという不便があった。
【００１３】
【特許文献１】米国登録特許６，７６５，７８１号（譲受人：ＴＤＫ）
【発明の開示】
【発明が解決しようとする課題】
【００１４】
本発明は上記の問題点を克服するためのもので、その目的は使用条件により求められるＥＳＲ特性を使用者が直接調節できる新たな構造を有する積層型キャパシタを提供することにある。
【課題を解決するための手段】
【００１５】
上記の技術的課題を実現するためには、本発明は使用者が実装段階において電源ラインと連結される外部電極の数と位置を選択することにより所望のＥＳＲ特性が具現されることができる積層型キャパシタを提供する。
【００１６】
本発明の一側面は、複数の誘電体層が積層され形成されたキャパシタ本体と、上記本体内で上記誘電体層を介して異なる極性の内部電極が対向するように交互に配置された複数の第１及び第２内部電極と、上記本体内で上記誘電体層を介して異なる極性の内部電極と隣接するように配置された少なくとも一極性の内部連結導体と、上記本体の表面に形成された複数の第１及び第２外部電極を含み、上記内部連結導体は同じ極性の外部電極に夫々連結され、上記内部連結導体と同じ極性の内部電極は少なくとも１つの内部電極を含む複数のグループに分かれ、上記各グループの内部電極は同じ極性の外部電極のうち異なる外部電極に連結されその連結された外部電極を通じ上記内部連結導体に電気的に連結されたことを特徴とする積層型キャパシタを提供する。
【００１７】
好ましく、上記内部連結導体としては、両極性の内部連結導体が全て採用されることができる。即ち、少なくとも一極性の内部連結導体は第１及び第２内部連結導体であることができる。
【００１８】
必要によって、上記第１及び第２外部電極のうち少なくとも一極性の外部電極は該当極性の内部連結導体に連結され、該当極性の内部電極には連結されない外部電極を含むことができる。
【００１９】
特定の実施形態において、上記第１及び第２内部電極は、同じ数の外部電極に連結されることができる。また、上記第１及び第２内部電極のうち少なくとも一極性の内部電極は該当極性の外部電極のうち複数の外部電極に夫々連結されることができる。
【００２０】
場合によって、少なくとも一グループの内部電極は、他のグループの内部電極が連結された外部電極にさらに連結されることができる。
【００２１】
ＥＳＬ特性を改善するために、上記第１及び第２外部電極は異なる極性の外部電極が隣接するように配置されることが好ましい。
【００２２】
具体的な例で、上記第１及び第２外部電極は、上記本体の対向する両側面に形成され、上記両側面に形成された同じ数の外部電極が位置するように配列されることができる。特に、上記第１及び第２外部電極を異なる極性の外部電極が上記両側面の対応領域に位置するように配列させることで、より改善されたＥＳＬ特性を確保することができる。
【００２３】
具体的な他の例で、上記本体は対向する第１及び第２主面とその間に位置した４つの側面を有する長方形構造で、上記第１及び第２外部電極は上記４つの側面にわたって形成され、上記対向する両側面で同じ数の外部電極が位置するように配列されることができる。好ましく、上記第１及び第２外部電極は、異なる極性の外部電極が上記対向する両側面の対応領域に位置するように配列されることができる。
【００２４】
好ましくは、上記第１及び第２内部連結導体も、上記第１及び第２内部電極の重畳領域に対応される重畳領域を有するように提供されることができる。この場合に、内部連結導体は内部電極と類似なキャパシタ要素として作用することができる。
【００２５】
本発明は、誘電体層が厚さ方向に積層された通常の積層型キャパシタ構造、キャパシタ本体の幅、または長さ方向に積層された構造で有益に適用されることができる。
【００２６】
一形態では、上記キャパシタ本体は、上記誘電体層の積層方向に従って形成され互いが反対に位置した第１及び第２面とその間に位置した側面を有し、上記キャパシタ本体の第１及び第２面のうちいずれかの面が実装面として提供され、上記複数の第１及び第２外部電極のうち２つの外部電極は上記積層方向に従って形成される対向する両側面に夫々形成され、残りの他の外部電極は上記本体の第１及び第２面に少なくとも１つずつ形成される。また、上記第１及び第２面のうち実装面として提供された面に形成された外部電極は上記側面に形成された外部電極と共に少なくとも１対の第１及び第２外部電極を含む。
【００２７】
他の形態では、上記キャパシタ本体は、上記誘電体層の積層方向に従って形成され互いが反対に位置した第１及び第２面とその間に位置した側面を有し、上記キャパシタ本体の第１及び第２面のうちいずれかの面が実装面として提供され、上記複数の第１及び第２外部電極は夫々３つ以上で、上記本体の第１及び第２面に夫々反対極性の外部電極が隣接するように同じ数で形成される。
【００２８】
本発明の他の側面は、別途の内部連結導体なしに内部電極の連結構造を改善することによりＥＳＲ調整機能を有する積層型キャパシタを提供することができる。これは６端子以上の多端子構造で適用することができる。
【００２９】
上記積層型キャパシタは、複数の誘電体層が積層され形成されたキャパシタ本体と、上記本体内で上記誘電体層を介して異なる極性の内部電極が対向するように交互に配置された複数の第１及び第２内部電極と、上記本体の表面に形成されたｍ個（ｍ≧３）の第１及び第２外部電極を含み、少なくとも一極性の内部電極は少なくとも１つの内部電極を含む複数のグループに分かれ、上記各グループの内部電極はｎ個（２≦ｎ＜ｍ）の外部電極に夫々連結される。また、上記各グループの内部電極に連結された外部電極のうち少なくとも１つは他のグループの内部電極に連結された外部電極と相異で、全てのグループの内部電極が互いに電気的に連結されるように一グループの内部電極が他の一グループの内部電極に連結された外部電極に共通的に連結される。
【００３０】
このような内部電極の構造改善は、特定の極性の内部電極に限り具現されることができるが、好ましくは両極性の内部電極である第１及び第２内部電極で具現されることができる。
【００３１】
以下、本明細書で用いられる用語中"ＥＳＲ調整用外部電極"は、実装時に電源ラインと直接に連結するか否かにより等価回路的に、関りのある内部電極の直列連結構造が変更され一定の範囲でＥＳＲ値を調節させることができる外部電極をいう。
【発明の効果】
【００３２】
本発明によると、積層型キャパシタの実装時に外部の電源ラインに連結される外部電極の選択によりキャパシタのＥＳＲ特性を多様に変更させることができる。このように、製造業者側では多様なＥＳＲ特性を満たすことができる積層型キャパシタを単一チップで提供できる上、使用者は外部電極と電源ラインの連結のみで所望のＥＳＲ特性を容易に決定することができる。
【発明を実施するための最良の形態】
【００３３】
以下、添付の図面を参照して本発明の実施形態を詳細に説明する。
【００３４】
図１は本発明の第１実施形態による４端子積層型キャパシタ構造の一例を示す。
【００３５】
図１を参照すると、本実施形態による積層型キャパシタ１０は、複数の誘電体層１１'が積層され形成されたキャパシタ本体１１を含む。
【００３６】
上記積層型キャパシタ１０は対向する両側面に互いが電気的に分離された夫々２つの第１及び第２外部電極１８ａ、１８ｂ、１９ａ、１９ｂを有する。
【００３７】
上記第１及び第２外部電極１８ａ、１８ｂ、１９ａ、１９ｂは、ＥＳＬを低減させるために隣接した外部電極が反対極性を有するように配列されることができる。本実施形態では、対向する両側面で対応する位置に反対極性の外部電極を配置することによりＥＳＬ低減効果を向上させることができる。
【００３８】
上記積層型キャパシタ１０は、図２及び図３に例示されたように、上記複数の誘電体層１１'に夫々形成された第１及び第２内部連結導体１２、１３と第１及び第２内部電極１４ａ、１４ｂ、１５ａ、１５ｂを有することができる。
【００３９】
上記複数の第１及び第２内部電極１４ａ、１４ｂ、１５ａ、１５ｂは上記第１及び第２内部連結導体１２、１３と共に誘電体層１１'を介して異なる極性の内部電極１４ａ、１５ａ、１４ｂ、１５ｂ、または異なる極性の内部連結導体１２、１３が交互に配列される。
【００４０】
図２に図示された第１及び第２内部連結導体１２、１３は夫々１つずつ図示されているが、少なくとも一極性の内部連結導体は複数個で提供されることができる。
【００４１】
これと類似に、図３に図示された第１及び第２内部電極１４ａ、１４ｂ、１５ａ、１５ｂは夫々１つずつ図示されているが、実際に適用される形態においては特定のグループ（Ｂ１、Ｂ２、Ｃ１またはＣ２）の内部電極は複数であることができる。
【００４２】
一方、図２及び図３に図示された順番（Ａ１−Ａ２−Ｂ１−Ｂ２−Ｃ１−Ｃ２）に従って積層されることができるが、必要によって多様な順番で積層されることができる。例えば、内部連結導体１２、１３が内部電極の間に位置するように配置されることができ（例、Ｂ１−Ｂ２−...−Ｃ１−Ｃ２−Ａ１−Ａ２−Ｂ１−Ｂ２−...−Ｃ１−Ｃ２）、第１及び第２内部連結導体１２、１３が離隔され配置されることもできる（例、Ａ１−Ｂ１−Ｂ２−...−Ｃ１−Ｃ２−Ａ２−Ｂ１−Ｂ２−...−Ｃ１−Ｃ２）。特に、内部連結導体の配列位置を変更することにより所望のＥＳＲ特性をより精密に調節することができる。
【００４３】
上記第１内部連結導体１２は２つのリード（Ｌ１、Ｌ２：以下、リードは各位置に従い同じ表記を用いる）を通じて第１外部電極１８ａ、１８ｂに連結される。これと類似に、上記第２内部連結導体１３は２つのリードＬ３、Ｌ４を通じて第２外部電極１９ａ、１９ｂに連結される。
【００４４】
このように、上記第１及び第２内部連結導体１２、１３は、全ての外部電極に連結された導体パターンであればよいが、本実施形態のように上記第１及び第２内部電極１４ａ、１４ｂ、１５ａ、１５ｂの重畳領域に対応する重畳領域を有するように提供することにより、他の内部電極１４ａ、１４ｂ、１５ａ、１５ｂと類似なキャパシタ要素として作用することができる。
【００４５】
一方、上記第１内部電極１４ａ、１４ｂはグループ別に異なる１つの第１外部電極１８ａ、１８ｂに夫々連結され、上記第２内部電極１５ａ、１５ｂもグループ別に異なる１つの第２外部電極１９ａ、１９ｂに夫々連結される。
【００４６】
即ち、図３に図示されたように、各グループの第１及び第２内部電極１４ａ、１４ｂ、１５ａ、１５ｂは１つのリードＬ１、Ｌ２、Ｌ３、Ｌ４を通じ異なる１つの外部電極１８ａ、１８ｂ、１９ａ、１９ｂに連結される。
【００４７】
このような連結を通じ、各グループの第１内部電極１４ａ、１４ｂは異なる第１外部電極１８ａ、１８ｂを通じて第１内部連結導体１２に電気的に連結されることができ、各グループの第２内部電極１５ａ、１５ｂは異なる第２外部電極１９ａ、１９ｂを通じて第２内部連結導体１３と電気的に連結されることができる。
【００４８】
本実施形態では、電源ラインと連結をするための外部端子として使用される１つの第１及び第２外部電極を除いた２つの外部電極はＥＳＲ調整用外部電極として使用される形態として理解することができる。
【００４９】
但し、外部端子として使用される第１及び第２外部電極は所望のＥＳＲ特性に合うように任意で選択されることができるため、ＥＳＲ調整用外部電極は特定されるものではない。例えば、第１及び第２外部電極のうち夫々１つの外部電極１８ａ、１９ｂを外部端子として使用する場合、残り２つの外部電極１８ｂ、１９ａはＥＳＲ調整用外部電極として考慮することができ、反対の場合も考慮することができる。また、同じ数の外部電極を外部端子に使用する場合もいずれの外部電極を選択するかによりＥＳＲ値が微細に変更されることができる。
【００５０】
図４（ａ）及び図４（ｂ）は本発明の第１実施形態による積層型キャパシタにおいてＥＳＲ値を調整する方法を説明するための概略図である。
【００５１】
図４（ａ）を参照すると、図１に図示された積層型キャパシタ１０が搭載された印刷回路基板２１が図示されている。上記基板２１上には４つのマウンティングパット２２ａ、２２ｂ、２３ａ、２３ｂが設けられる。
【００５２】
上記４つのマウンティングパット２２ａ、２２ｂ、２３ａ、２３ｂには、上記積層型キャパシタ１０の外部電極１８ａ、１８ｂ、１９ａ、１９ｂが夫々連結されるように半田付けされる。ここで、電源ラインと外部電極の連結は電源ラインとマウンティングパッドの連結の可否により決定される。
【００５３】
従って、積層型キャパシタの安定的な支持を図りながら所望の外部電極のみを選択的に電源ラインと連結させることができる。
【００５４】
本実施形態において、２つのマウンティングパッド２２ａ、２３ｂは電源ライン２４、２５に夫々連結され、残り２つのマウンティングパッド２２ｂ、２３ａは電源ライン２４、２５に連結されない。従って、上記積層型キャパシタ１０の１対の第１及び第２外部電極１８ａ、１９ｂのみが電源ライン２４、２５を通じ直接電源と連結されることができる。
【００５５】
これと類似に、図４（ｂ）を参照すると、印刷回路基板３１上に設けられた４つのマウンティングパット３２ａ、３２ｂ、３３ａ、３３ｂに上記積層型キャパシタ１０の外部電極１８ａ、１８ｂ、１９ａ、１９ｂが夫々連結されるように半田付けされるが、上述の形態とは異なり、３つのマウンティングパッド３２ａ、３３ｂ、３３ａは電源ライン３４、３５に夫々連結され、残り１つのマウンティングパッド３２ｂは電源ラインに連結されない。
【００５６】
このような実装では、上記積層型キャパシタ１０の１対の第１及び第２外部電極１８ａ、１９ｂの他に第２外部電極１９ａも電源ライン３５を通じ直接電源が供給されることができる。
【００５７】
図４（ａ）に図示されたように、上記第２電源ライン２５に一つの第２外部電極１９ｂは連結され、他の第２外部電極１９ａには連結されない場合は、（Ｂ２）グループの第２内部電極１５ａは第２内部連結導体１３と第２外部電極１９ａを通じて電源の供給を受ける。従って、（Ｂ２）グループの第２内部電極１５ａは第２外部電極１９ａを介して第２内部連結導体１３と直列に連結され、このような直列に連結された抵抗成分により相対的に高い等価直列抵抗値（ＥＳＲ１）を有することができる。
【００５８】
一方、図４（ｂ）のように、特定の第２外部電極１９ａがさらに第２電源ライン３５に連結された場合には、その第２外部電極１９ａが外部端子となり（Ｂ２）グループの第２内部電極１５ａも直接電源の供給を受ける。従って、図４（ａ）で直列に連結されていた（Ｂ２）グループの第２内部電極１５ａは他の内部電極１５ｂ及び第２内部連結導体１３と並列に連結されるため、図４（ｂ）のように連結された積層型キャパシタは図４（ａ）の実装形態に比べ低いＥＳＲ値（ＥＳＲ２）を有することができる。
【００５９】
さらに、図示されていないが、他の第１外部電極１８ｂもＥＳＲ調整用外部電極として使用されることができる。上記第１電源ライン３１を他の第１外部電極１８ｂにさらに連結する場合、上述と類似に該当ＥＳＲ調整用外部電極の第１外部電極１８ｂを介して第１内部連結導体１２と（Ａ１）グループの第１内部電極１４ａが直列に連結され発生する等価直列抵抗成分までなくなるため、図４（ｂ）の場合より低いＥＳＲ値（ＥＳＲ３）を有するようになる。
【００６０】
このように、図１に図示された実施形態は１対の外部電極の他に他の１対の外部電極を選択的に外部端子として使用することによりＥＳＲ値を段階的に調整（ＥＳＲ３＜ＥＳＲ２＜ＥＳＲ１）することができる。
【００６１】
特に、このようなＥＳＲ調整は積層型キャパシタの実装段階において使用者により実行されることができるという長所を提供する。供給者は製品設計時に多様なＥＳＲ値（本実施形態の場合、３つのＥＳＲが具現可能）を有するように内部連結導体の数と位置を適切に設計すると、使用者は電源ラインと連結される外部端子を選択することにより積層型キャパシタのＥＳＲ値を所望の値に容易に調整することができる。
【００６２】
図５は本発明の第２実施形態による４端子積層型キャパシタ構造の他の例を示す。本実施形態は上記第１実施形態とは外部電極の位置が異なる４端子積層型キャパシタである。
【００６３】
図５を参照すると、本実施形態による積層型キャパシタ４０は複数の誘電体層４１'が積層され形成されたキャパシタ本体４１を含む。
【００６４】
本実施形態に採用されたキャパシタ本体４１は対向する第１及び第２主面とその間に位置した４つの側面を有する長方形構造で、上記第１及び第２外部電極４８ａ、４８ｂ、４９ａ、４９ｂは上記４つの側面にわたって形成される。
【００６５】
即ち、図５に図示されたように、上記第１外部電極４８ａ、４８ｂは上記本体４１の対向する両側面に夫々１つずつ形成され、上記第２外部電極４９ａ、４９ｂは他の対向する両側面に夫々１つずつ形成される。結果的に、上記第１及び第２外部電極４８ａ、４８ｂ、４９ａ、４９ｂは４つの側面に従って反対極性が交互に配列される。
【００６６】
このような外部電極の配列に対応されるように、上記積層型キャパシタ４０は図６及び図７に図示された第１及び第２内部連結導体４２、４３と第１及び第２内部電極４５ａ、４５ｂ、４６ａ、４６ｂを有することができる。
【００６７】
上記複数の第１及び第２内部電極４５ａ、４５ｂ、４６ａ、４６ｂは上記第１及び第２内部連結導体４２、４３と共に誘電体層４１'を介して異なる極性の内部電極４５ｂ、４６ｂ、４５ａ、４６ａまたは異なる極性の内部連結導体４３、４２が交互に配列される。内部電極及び内部連結導体の多様な積層順番及び積層数に関連しては上述の第１実施形態で説明した内容を参照し理解することができる。
【００６８】
上記第１内部連結導体４２は両側に延びた２つのリードＬ１、Ｌ２を通じて第１外部電極４８ａ、４８ｂの全てに連結される。これと類似に、上記第２内部連結導体４３は他の両側に延びた２つのリードＬ３、Ｌ４を通じて第２外部電極４９ａ、４９ｂに連結される。
【００６９】
上記第１及び第２内部電極４５ａ、４５ｂ、４６ａ、４６ｂは同じ極性の異なる１つの外部電極４８ａ、４８ｂまたは４９ａ、４９ｂに選択的に連結される。
【００７０】
例えば、一つの第１外部電極４８ａは他の第１外部電極４８ｂが連結された（Ｃ１）グループの第１内部電極４５ｂと異なる（Ｂ１）グループの第１内部電極４５ａにのみ連結される。これと類似に、一つの第２外部電極４９ａは他の第２外部電極４９ｂが連結された（Ｂ２）グループの第２内部電極４６ａと異なる（Ｃ２）グループの第２内部電極４６ｂにのみ連結される。
【００７１】
このような連結を通じて上記第１及び第２内部電極４５ａ、４５ｂ、４６ａ、４６ｂは、連結された外部電極を通じて夫々同じ極性の内部連結導体４２、４３と電気的に連結されることができる。
【００７２】
本実施形態でも、図１に図示された実施形態と類似に、１対の外部電極４８ａ、４９ａが連結された場合、残りの第１及び第２外部電極４８ｂ、４９ｂは電源ラインと直接に連結されず（Ｃ１）グループの第１内部電極４５ｂと（Ｂ２）グループの第２内部電極４６ａと第１及び第２内部連結導体４２、４３に夫々連結する外部連結導体として作用する。
【００７３】
従って、（Ｃ１）グループの第１内部電極４５ｂは、外部連結導体の第１外部電極４８ｂを介して第１内部連結導体４２に直列に連結され、これと類似に（Ｂ２）グループの第２内部電極４６ａは、外部連結導体の外部電極４８ｂ、４９ｂを介して第２内部連結導体４３に直列に連結されることができる。このような直列連結を通じてより高いＥＳＲ値を有することができる。
【００７４】
さらに、ＥＳＲ調整用外部電極の第１及び第２外部電極４８ｂ、４９ｂのうち１つまたは全てを電源ラインに連結する場合、上述の直列抵抗成分が発生しないため、相対的に低いＥＳＲ値を有するようになる。
【００７５】
このように、使用者の外部端子の選択により所望の異なるＥＳＲ値を容易に選択することができる。
【００７６】
本発明は４端子構造の他にも６端子以上の構造にも容易に実現されることができる。
【００７７】
このような６端子以上の多端子構造では、上述の実施形態と類似に、内部連結導体を用いたＥＳＲ調整構造を具現できる上、更なる内部連結導体（即ち、同じ極性の外部電極に全て連結された内部導体）なしに内部電極のみでも外部電極の選択によるＥＳＲ調整が可能な構造を実現することができる（図１１、図１２、図１６、図１７、図２１−２４参照）。
【００７８】
図８は、本発明の第３実施形態による６端子積層型キャパシタの一例を示す斜視図である。
【００７９】
図８を参照すると、本実施形態による積層型キャパシタ６０は複数の誘電体層６１'が積層され形成されたキャパシタ本体６１を含む。
【００８０】
上記積層型キャパシタ６０は対向する両側面に互いが電気的に分離された夫々３つの第１及び第２外部電極６８ａ、６８ｂ、６８ｃ、６９ａ、６９ｂ、６９ｃを有し、本実施形態のように隣接した外部電極が反対極性を有するように配列されることができる。
【００８１】
本発明の第１様態により、上記積層型キャパシタ６０は上述の実施形態のように内部連結導体を用いたＥＳＲ調整構造を具現することができる。
【００８２】
本実施形態は、図９に図示されたように、上記複数の誘電体層６１'に夫々形成された第１及び第２内部連結導体６２、６３を有することができる。上記第１内部連結導体６２は３つのリードＬ１、Ｌ２、Ｌ３を通じて３つの第１外部電極６８ａ、６８ｂ、６８ｃに夫々連結される。これと類似に、上記第２内部連結導体６３は３つのリードＬ４、Ｌ５、Ｌ６を通じて３つの第２外部電極６９ａ、６９ｂ、６９ｃに夫々連結される。
【００８３】
図９に図示された第１及び第２内部連結導体６２、６３と共に採用が可能な第１及び第２内部電極は多様なパターンとその組み合わせにより具現されることができる。本実施形態で採用が可能な第１及び第２内部電極の多様な例が図１０ａ及び図１０ｂに図示されている。
【００８４】
図１０ａに図示された第１及び第２内部電極６４ａ、６４ｂ、６５ａ、６５ｂは連結される外部電極（リード構造）により夫々２つのグループＢ１、Ｃ１、Ｂ２、Ｃ２に分かれる。各グループの第１内部電極６４ａ、６４ｂは１つのリードＬ１、Ｌ２により夫々１つの第１外部電極６８ａ、６８ｂに連結される。これと類似に、第２内部電極６５ａ、６５ｂもグループ別に１つのリードＬ３、Ｌ４により１つの第２外部電極６９ａ、６９ｂに連結される。
【００８５】
上述の実施形態と類似に、上記各グループの第１及び第２内部電極６４ａ、６４ｂ、６５ａ、６５ｂは異なる外部電極に連結される。
【００８６】
本例でと同様に、特定の第１及び第２外部電極６８ｃ、６９ｃはいずれの内部電極にも連結されず第１及び第２内部連結導体６２、６３にのみ連結されることができる。従って、上記特定の第１及び第２外部電極６８ｃ、６９ｃのみを電源ラインと連結する場合、残りの４つの外部電極６８ａ、６８ｂ、６９ａ、６９ｂは電源ラインに連結されず夫々該当極性の内部電極６４ａ、６４ｂ、６５ａ、６５ｂと該当極性の内部連結導体６８ａ、６９ｂ、６８ｂ、６９ａを直列に連結する外部連結導体として作用する。従って、相対的に高いＥＳＲ値を有することができる。
【００８７】
また、電源ラインに連結されない外部電極６８ａ、６８ｂ、６９ａ、６９ｂのうちいずれかを電源ラインに連結すると、その外部電極に連結された内部電極は同じ極性の内部連結導体６２または６３と再び並列に連結されるため、ＥＳＲ値を低めることができる。このように、４つの外部電極６８ａ、６８ｂ、６９ａ、６９ｂがＥＳＲ調整の手段として提供されることができる。本例では電源ラインと連結される外部電極の数により最小５つのＥＳＲ値を選択的に具現することができる。
【００８８】
図１０ｂに図示された第１及び第２内部電極７４ａ、７４ｂ、７４ｃ、７５ａ、７５ｂ、７５ｃは連結される外部電極により夫々３つのグループに分かれる。図１０ａと類似に、各グループの第１内部電極７４ａ、７４ｂ、７４ｃは１つのリードＬ１、Ｌ２、Ｌ３により１つの第１外部電極６８ａ、６８ｂ、６８ｃに夫々連結され、各グループの第２内部電極７５ａ、７５ｂ、７５ｃは１つのリードＬ６、Ｌ４、Ｌ５により夫々１つの第２外部電極６９ｃ、６９ａ、６９ｂに連結される。
【００８９】
但し、図１０ａに図示された内部電極とは異なり、更なる（Ｄ１）及び（Ｄ２）グループの第１及び第２内部電極７４ｃ、７５ｃは図１０ａで内部電極に連結されない第１及び第２外部電極６８ｃ、６９ｃにも連結されるため、全ての外部電極に異なるグループの内部電極が連結される。
【００９０】
任意の１対の第１及び第２外部電極６８ａ、６９ａが電源ラインと連結された外部端子に選択された場合、残り４つの外部電極６８ｂ、６８ｃ、６９ｂ、６９ｃは夫々該当極性の内部電極７４ｂ、７４ｃ、７５ｃ、７５ａと該当極性の内部連結導体６２、６３を連結する外部連結導体として作用し、夫々の外部連結導体により直列に連結されるため、高いＥＳＲを得ることができる。
【００９１】
この場合にも、４つの外部電極は夫々ＥＳＲ調整用外部端子であることができる。例えば、電源ラインと連結される外部電極の数により５つのＥＳＲ値を選択することができる。
【００９２】
図１０ａ及び図１０ｂに図示された内部電極は、図９に図示された内部連結導体と共に使用される形態として例示し説明したが、本実施形態のように、６端子以上の多端子積層型キャパシタでは、同じ極性の外部電極に全て連結された内部連結導体を使用しなくてもＥＳＲ調整が可能な積層型キャパシタを具現することができる。
【００９３】
内部連結導体を採用されない形態で、各グループの内部電極は全ての外部電極に連結されないが少なくとも２つの外部電極には連結される。各グループの内部電極に連結された外部電極のうち少なくとも１つは他のグループの内部電極に連結された外部電極と相異であるが、全てのグループの内部電極が互いに電気的に連結されるように一グループの内部電極に連結された少なくとも１つの外部電極は他の一グループの内部電極にも連結される。
【００９４】
図１１及び図１２には、図８に図示された積層型キャパシタで採用が可能な第１及び第２内部電極の多様な例が図示されている。
【００９５】
図１１に図示されたように、第１及び第２内部電極８４ａ、８４ｂ、８４ｃ、８５ａ、８５ｂ、８５ｃは連結される外部電極により夫々３つのグループ（Ａ１−Ａ２、Ｂ１−Ｂ２、Ｃ１−Ｃ２）に分かれる。
【００９６】
上記第１内部電極８４ａ、８４ｂ、８４ｃは２つのリードＬ１、Ｌ２、Ｌ３のうち異なる２つによりグループ別に２つの第１外部電極６８ａ、６８ｂ、６８ｃのうち異なる２つに連結される。
【００９７】
各グループの第１内部電極に連結された２つの第１外部電極のうち１つは他のグループの第１内部電極に連結された外部電極と相異である。また、一グループの内部電極に連結された１つの外部電極は他の一グループの内部電極にも連結されることにより３つグループの第１内部電極が互いに電気的に連結されることができる。
【００９８】
例えば、第１内部電極の場合には、（Ａ１）グループ−第１外部電極６８ｂ−（Ｂ１）グループ−第１外部電極６８ｃ−（Ｃ１）グループ−第１外部電極６８ａ−（Ａ１）グループの連結形態で全て電気的に連結される。
【００９９】
これと類似に、各グループの第２内部電極８５ａ、８５ｂ、８５ｃは全ての第２外部電極に連結されず２つの第２外部電極には連結され、各グループの第２内部電極８５ａ、８５ｂ、８５ｃに連結された第２外部電極のうち１つは他のグループの第２内部電極に連結された第２外部電極と相異であるが、全てのグループの第２内部電極８５ａ、８５ｂ、８５ｃが互いに電気的に連結されるように一グループの第２内部電極に連結された、少なくとも１つの第２外部電極は他の一グループの第２内部電極にも連結される。
【０１００】
このような外部電極と内部電極の連結形態では、外部電極と電源ラインの連結により特定のグループの内部電極が内部連結導体のように作用することができる。
【０１０１】
例えば、特定第１及び第２外部電極６８ａ、６９ａに電源ラインが連結される場合、（Ａ１）グループ及び（Ｃ１）グループの第１内部電極は他の第１外部電極６８ｂ、６８ａを介して（Ｂ１）グループの第１内部電極と直列に連結され、（Ｂ２）グループ及び（Ｃ２）グループの第２内部電極は他の第２外部電極６９ｂ、６９ｃを介して（Ａ２）グループの第２内部電極と直列に連結される。
【０１０２】
従って、このような直列連結により抵抗成分が増加されるため、それだけ高いＥＳＲを有することができる。
【０１０３】
使用者は必要によってより低いＥＳＲ特性を得るために、上述の例において電源ラインと連結されない第１及び第２外部電極６８ｂ、６８ｃ、６９ｂ、６９ｃを電源ラインにさらに連結させることができる。このように電源ラインと外部電極のさらなる連結により、上述の直列抵抗成分は発生しない。
【０１０４】
即ち、第１外部電極６８ｂ、６８ａのうち少なくとも１つにさらに電源ラインを連結する場合、（Ｂ１）グループの第１内部電極は電源ラインと直接連結されるため、他のグループの内部電極と並列に連結されることにより直列連結による抵抗成分はなくなるようになる。従って、ＥＳＲ値は相対的に低くなることができる。
【０１０５】
図１２に図示された例では、第２内部電極８７ａ、８７ｂ、８７ｃのみが夫々３つのグループＡ２、Ｂ２、Ｃ２に分かれ、第１内部電極８６は通常の内部電極（全ての外部電極と連結された形態）を有する同一のパターンで、各グループの第２内部電極８７ａ、８７ｂ、８７ｃと対をなす。
【０１０６】
上記第１内部電極８６は３つのリードＬ１、Ｌ２、Ｌ３により第１外部電極６８ａ、６８ｂ、６８ｃに全て連結され、上記第２内部電極８７ａ、８７ｂ、８７ｃは図１０ｃに図示された第２内部電極と類似に、夫々２つのリードＬ４、Ｌ５、Ｌ６のうち異なる２つによりグループ別に同じ２つの第２外部電極６９ａ、６９ｂ、６９ｃのうち異なる２つに連結される。
【０１０７】
本実施形態では、第２外部電極の選択的な連結によりＥＳＲ特性が調整されることができ、図１１で説明したものと類似な方式によりＥＳＲ特性が調整されることができる。
【０１０８】
図１３は本発明の第４実施形態による６端子積層型キャパシタの他の例を示す斜視図である。
【０１０９】
図１３を参照すると、本実施形態による積層型キャパシタ９０は複数の誘電体層９１'が積層され形成されたキャパシタ本体９１を含む。
【０１１０】
上記キャパシタ本体９１は対向する第１及び第２主面とその間に位置した４つの側面を有する長方形構造で、夫々３つの第１及び第２外部電極９８ａ、９８ｂ、９８ｃ、９９ａ、９９ｂ、９９ｃは上記４つの側面に従って反対極性が交互に配列されるように形成される。
【０１１１】
また、図１３に図示されたように、上記本体９１の対向する両側面（長さ方向）に夫々２つずつ形成され、他の対向する両側面（幅方向）に夫々１つずつ形成される。
【０１１２】
上記積層型キャパシタ９０は、図１４に図示されたように、上記複数の誘電体層９１'に夫々形成された第１及び第２内部連結導体９２、９３を有することができる。
【０１１３】
上記第１内部連結導体９２は、３つのリードＬ１、Ｌ２、Ｌ３を通じて第１外部電極９８ａ、９８ｂ、９８ｃに夫々連結される。これと類似に、上記第２内部連結導体９３は３つのリードＬ４、Ｌ５、Ｌ６を通じて第２外部電極９９ａ、９９ｂ、９９ｃに夫々連結される。
【０１１４】
図１４に図示された第１及び第２内部連結導体９２、９３と共に採用が可能な第１及び第２内部電極は多様なパターンとその組み合わせにより具現されることができる。本実施形態で採用が可能な第１及び第２内部電極の一例が図１５に図示されている。
【０１１５】
図１５に図示された第１及び第２内部電極９４ａ、９４ｂ、９４ｃ、９５ａ、９５ｂ、９５ｃは連結される外部電極により夫々３つのグループに分けられ、各グループの第１内部電極９４ａ、９４ｂ、９４ｃは１つのリードＬ１、Ｌ２、Ｌ３により１つの第１外部電極９８ａ、９８ｂ、９８ｃに夫々連結され、各グループの第２内部電極９５ａ、９５ｂ、９５ｃは１つのリードＬ６、Ｌ４、Ｌ５により夫々１つの第２外部電極９９ｃ、９９ａ、９９ｂに連結される。
【０１１６】
上記第１及び第２内部電極９４ａ、９４ｂ、９４ｃ、９５ａ、９５ｂ、９５ｃは夫々グループ別に異なる第１及び第２外部電極９８ａ、９８ｂ、９８ｃ、９９ｃ、９９ａ、９９ｂに連結される。
【０１１７】
本例では、第１及び第２外部電極９８ａ、９８ｂ、９８ｃ、９９ａ、９９ｂ、９９ｃは第１及び第２内部連結導体９２、９３と共に特定のグループの第１及び第２内部電極にのみ連結され、残りの他のグループには連結されない。
【０１１８】
１対の第１及び第２外部電極９８ａ、９９ａが電源ラインと連結された外部端子の場合に、残り４つの外部電極９８ｂ、９８ｃ、９９ｂ、９９ｃが外部連結導体として作用し直列抵抗成分が追加されることができるため、相対的に高いＥＳＲを得ることができる。ここで、４つの外部電極９８ｂ、９８ｃ、９９ｂ、９９ｃは夫々独立的にＥＳＲ値を変更させることができるＥＳＲ調整用外部端子であることができる。従って、電源ラインとの連結により５つのＥＳＲ値を選択的に具現することができる。
【０１１９】
図１６に図示された第１及び第２内部電極１０４ａ、１０４ｂ、１０４ｃ、１０５ａ、１０５ｂ、１０５ｃは連結される外部電極により夫々３つのグループに分かれる。図１６に図示された内部電極の例は図１４に図示された内部連結導体がなくてもＥＳＲ調整のための積層型キャパシタを実現することができる。
【０１２０】
上記第１内部電極１０４ａ、１０４ｂ、１０４ｃは２つのリードＬ１、Ｌ２、Ｌ３のうち異なる２つによりグループ別に同一の２つの第１外部電極９８ａ、９８ｂ、９８ｃのうち異なる２つに連結され、上記第２内部電極１０５ａ、１０５ｂ、１０５ｃは２つのリードＬ４、Ｌ５、Ｌ６のうち異なる２つによりグループ別に同一の２つの第２外部電極９９ａ、９９ｂ、９９ｃのうち異なる２つに連結される。
【０１２１】
上記第１内部電極１０４ａ、１０４ｂ、１０４ｃは２つのリードＬ１、Ｌ２、Ｌ３のうち異なる２つによりグループ別に２つの第１外部電極９８ａ、９８ｂ、９８ｃのうち異なる２つに連結される。各グループの第１内部電極に連結された２つの第１外部電極のうち１つは他のグループの第１内部電極に連結された外部電極と相異である。また、一グループの内部電極に連結された１つの外部電極は他の一グループの内部電極にも連結されることにより３つのグループの第１内部電極が互いに電気的に連結されることができる。
【０１２２】
本例におけるＥＳＲ調整は、図１１を参照して説明した部分を参照し理解することができる。
【０１２３】
図１７に図示された例では、第２内部電極１０７ａ、１０７ｂ、１０７ｃのみが連結される外部電極により夫々３つのグループに分かれる。また、第１内部電極１０６は第１内部連結導体９２と類似なパターンで各グループの第２内部電極１０７ａ、１０７ｂ、１０７ｃと対をなす。
【０１２４】
本実施形態によると、図１２に図示された内部電極の組み合わせと類似に第２内部電極に関わる第２外部電極のみによってもＥＳＲ特性を調整することができる。これと反対に、第１内部電極をＥＳＲ調整のためのパターンで構成し、第２内部電極は通常の内部電極（内部連結導体９３と類似なパターン）で構成することもできる。
【０１２５】
本発明は上述の実施形態と類似な方式で８端子構造にも適用することができる。
【０１２６】
図１８は本発明の第５実施形態による８端子積層型キャパシタの一例を示す斜視図である。
【０１２７】
図１８を参照すると、本実施形態による積層型キャパシタ１２０は複数の誘電体層１２１'が積層され形成されたキャパシタ本体１２１を含む。
【０１２８】
上記積層型キャパシタ１２０は対向する両側面に互いが電気的に分離された夫々４つの第１及び第２外部電極１２８ａ、１２８ｂ、１２８ｃ、１２８ｄ、１２９ａ、１２９ｂ、１２９ｃ、１２９ｄを有する。各外部電極の配列はＥＳＬ低減のために各側面で隣接した外部電極が反対極性を有するように配列されることができる。
【０１２９】
本実施形態のように、本体１２１の対向する側面の対応領域に互いが反対極性が位置するように配列されることにより両側における電流の流れを反対方向に有するように磁束を相殺させることができる。
【０１３０】
上記積層型キャパシタ１２０は図１９に図示されたように、上記複数の誘電体層１２１'に夫々形成された第１及び第２内部連結導体１２２、１２３を有することができる。上記第１内部連結導体１２２は４つのリードＬ１、Ｌ２、Ｌ３、Ｌ４を通じて第１外部電極１２８ａ、１２８ｂ、１２８ｃ、１２８ｄに夫々連結される。これと類似に、上記第２内部連結導体１２３は４つのリードＬ４、Ｌ５、Ｌ６、Ｌ７を通じて第２外部電極１２９ａ、１２９ｂ、１２９ｃ、１２９ｄに夫々連結される。
【０１３１】
図１９に図示された第１及び第２内部連結導体１２２、１２３と共に採用が可能な第１及び第２内部電極は多様なパターンとその組み合わせにより具現されることができる。図２０を参照すると、図１９の内部連結導体と共に採用が可能な内部電極の一例が図示されている。
【０１３２】
図２０に図示された第１内部電極１２４ａ、１２４ｂ、１２４ｃ、１２４ｄと第２内部電極１２５ａ、１２５ｂ、１２５ｃ、１２５ｄは連結される外部電極により夫々４つのグループに分かれる。
【０１３３】
各グループの第１内部電極１２４ａ、１２４ｂ、１２４ｃ、１２４ｄは１つのリードＬ１、Ｌ２、Ｌ３、Ｌ４により１つの第１外部電極１２８ａ、１２８ｂ、１２８ｃ、１２８ｄに夫々連結され、各グループの第２内部電極１２５ａ、１２５ｂ、１２５ｃ、１２５ｄは１つのリードＬ７、Ｌ８、Ｌ６、Ｌ５により夫々１つの第２外部電極１２９ｃ、１２９ｄ、１２９ｂ、１２９ａに連結される。
【０１３４】
上記第１及び第２内部電極１２４ａ、１２４ｂ、１２４ｃ、１２４ｄ、１２５ａ、１２５ｂ、１２５ｃ、１２５ｄは夫々グループ別に異なる第１及び第２外部電極に連結されることができる。
【０１３５】
本例では、第１及び第２外部電極１２８ａ、１２８ｂ、１２８ｃ、１２８ｄ、１２９ａ、１２９ｂ、１２９ｃ、１２９ｄは第１及び第２内部連結導体１２２、１２３と共に特定のグループの第１及び第２内部電極にのみ連結され、残りの他のグループには連結されない。
【０１３６】
しかし、本発明はこれに限らず、一グループの内部電極に連結された外部電極が２以上の場合に、他のグループの外部電極と共通的に連結される形態も採用されることができる。
【０１３７】
図１９の内部連結導体と共に図２０に図示された内部電極を採用するＥＳＲ調整積層型キャパシタで、１対の第１及び第２外部電極１２８ａ、１２９ａが電源ラインと連結されると、残り６つの外部電極１２８ｂ、１２８ｃ、１２８ｄ、１２９ｂ、１２９ｃ、１２９ｄが外部連結導体として作用し直列抵抗成分が追加されることができ、これにより相対的に高いＥＳＲを得ることができる。
【０１３８】
特に、残り６つの外部電極１２８ｂ、１２８ｃ、１２８ｄ、１２９ｂ、１２９ｃ、１２９ｄは夫々独立的にキャパシタのＥＳＲ値を変更させることができるＥＳＲ調整用外部端子であることができる。従って、電源ラインと連結される数により段階的に７つのＥＳＲ値を選択して具現することができる。
【０１３９】
図２１に図示された内部電極の例は図１９に図示された内部連結導体がなくてもＥＳＲ調整のための積層型キャパシタを実現することができる。
【０１４０】
図２１に図示された第１及び第２内部電極１２６ａ、１２６ｂ、１２６ｃ、１２６ｄ、１２７ａ、１２７ｂ、１２７ｃ、１２７ｄは連結された外部電極により夫々４つのグループに分かれる。
【０１４１】
上記第１内部電極１２６ａ、１２６ｂ、１２６ｃ、１２６ｄは２つのリードＬ１、Ｌ２、Ｌ３、Ｌ４のうち異なる２つによりグループ別に同一の２つの第１外部電極１２８ａ、１２８ｂ、１２８ｃ、１２８ｄのうち異なる２つに連結され、上記第２内部電極１２７ａ、１２７ｂ、１２７ｃ、１２７ｄは２つのリードＬ５、Ｌ６、Ｌ７、Ｌ８のうち異なる２つによりグループ別に同一の２つの第２外部電極１２９ａ、１２９ｂ、１２９ｃ、１２９ｄのうち異なる２つに連結される。
【０１４２】
上記第１内部電極１２６ａ、１２６ｂ、１２６ｃ、１２６ｄは２つのリードＬ１、Ｌ２、Ｌ３、Ｌ４のうち異なる２つによりグループ別に２つの第１外部電極１２８ａ、１２８ｂ、１２８ｃ、１２８ｄのうち異なる２つに連結される。各グループの第１内部電極に連結された２つの第１外部電極のうち１つは他のグループの第１内部電極に連結された外部電極と相異である。また、一グループの内部電極に連結された１つの外部電極は、他の一グループの内部電極にも連結されることにより３つグループの第１内部電極が互いに電気的に連結されることができる。
【０１４３】
例えば、第１内部電極の場合には、（Ａ１）グループ−第１外部電極１２８ｂ−（Ｂ１）グループ−第１外部電極１２８ｄ−（Ｃ１）グループ−第１外部電極１２８ｂ−（Ｄ１）グループ−第１外部電極１２８ｃ−（Ａ１）グループの連結形態で全て電気的に連結される。
【０１４４】
これと類似に、各グループの第２内部電極は全ての第２外部電極に連結されず２つの第２外部電極に連結され、各グループの第２内部電極に連結された第２外部電極のうち１つは、他のグループの第２内部電極に連結された第２外部電極と相異であるが、全てのグループの第２内部電極が互いに電気的に連結されるように一グループの第２内部電極に連結された少なくとも１つの第２外部電極は他の一グループの第２内部電極にも連結される。
【０１４５】
このような外部電極と内部電極の連結形態では、外部電極と電源ラインの連結により特定のグループの内部電極が内部連結導体のように作用することができる。これにより形成された一グループが内部電極と他のグループの内部電極が直列に連結されることにより抵抗成分が増加されることができ、相対的に高いＥＳＲ特性を有することができる。
【０１４６】
使用者は必要によってＥＳＲ特性を調整するために、電源ラインと基本的に連結される１対の第１及び第２外部電極の他にさらに他の第１及び第２外部電極を連結させることができる。このように電源ラインと外部電極のさらなる連結により直列に連結されていた抵抗成分が並列に連結されるためＥＳＲ特性が低くなる。
【０１４７】
図２２に図示された第１内部電極１３４ａ、１３４ｂ、１３４ｃ、１３４ｄと第２内部電極１３５ａ、１３５ｂ、１３５ｃ、１３５ｄは連結される外部電極により夫々４つのグループに分かれる。
【０１４８】
本例では、上記第１及び第２内部電極は異なる数の外部電極と連結される。より具体的に、各グループの第１内部電極１３４ａ、１３４ｂ、１３４ｃ、１３４ｄは３つのリードＬ１、Ｌ２、Ｌ３、Ｌ４のうち異なる３つにより３つの第１外部電極１２８ａ、１２８ｂ、１２８ｃ、１２８ｄのうち異なる３つに夫々連結されるが、各グループの第２内部電極１３５ａ、１３５ｂ、１３５ｃ、１３５ｄは上述の実施例と類似に２つのリードＬ７、Ｌ８、Ｌ６、Ｌ５のうち異なる２つにより夫々２つの第２外部電極１２９ｃ、１２９ｄ、１２９ｂ、１２９ａのうち異なる２つに連結される。
【０１４９】
図２３に図示された例では、第１及び第２内部電極１３６ａ、１３６ｂ、１３６ｃ、１３６ｄ、１３７ａ、１３７ｂ、１３７ｃ、１３７ｄは連結された外部電極により夫々４つのグループに分かれる。
【０１５０】
上記第１内部電極１３６ａ、１３６ｂ、１３６ｃ、１３６ｄは３つのリードＬ１、Ｌ２、Ｌ３、Ｌ４のうち異なる３つによりグループ別に同一の３つの第１外部電極１２８ａ、１２８ｂ、１２８ｃ、１２８ｄのうち異なる３つに連結され、上記第２内部電極１２７ａ、１２７ｂ、１２７ｃ、１２７ｄは３つのリードＬ５、Ｌ６、Ｌ７、Ｌ８のうち異なる３つによりグループ別に同一の３つの第２外部電極１２９ａ、１２９ｂ、１２９ｃ、１２９ｄのうち異なる３つに連結される。
【０１５１】
図２４に図示された例では、第２内部電極１４５ａ、１４５ｂ、１４５ｃ、１４５ｄのみが連結される外部電極により夫々４つのグループに分かれ、第１内部電極１４４は第１内部連結導体１２２と類似なパターンで、各グループの第２内部電極１４５ａ、１４５ｂ、１４５ｃ、１４５ｄと対をなす。
【０１５２】
即ち、上記第１内部電極１４４は４つのリードＬ１、Ｌ２、Ｌ３、Ｌ４により第１外部電極１２８ａ、１２８ｂ、１２８ｃ、１２８ｄに全て連結され、上記第２内部電極１４５ａ、１４５ｂ、１４５ｃ、１４５ｄは図１６に図示された第２内部電極と類似に、夫々３つのリードＬ５、Ｌ６、Ｌ７、Ｌ８のうち異なる３つによりグループ別に同一の３つの第２外部電極１２９ａ、１２９ｂ、１２９ｃ、１２９ｄのうち異なる３つに連結される。
【０１５３】
このような構造では、図１２と類似に、第２内部電極に関わる第２外部電極と電源ラインの選択的な連結によってのみ積層型キャパシタのＥＳＲ特性を調整することができる。
【０１５４】
本発明は実装面を基準に積層方向が垂直の積層型キャパシタ構造にも有益に適用されることができる。
【０１５５】
図２５は本発明の第６実施形態（積層方向の変形例：４端子構造）による積層型キャパシタの斜視図である。
【０１５６】
図２５に図示されたように、本実施形態による積層型キャパシタ１８０は複数の誘電体層１８１'が積層され形成されたキャパシタ本体１８１を含む。上記本体１８１は積層方向に従って形成され、対向する第１及び第２面１８１ａ、１８１ｂとその間に位置した４つの側面を有する長方形構造で、本積層型キャパシタ１８０は第１及び第２面１８１ａ、１８１ｂのうちいずれかの面は実装面として提供される構造である。
【０１５７】
上記第１及び第２外部電極１８８ａ、１８８ｂ、１８９ａ、１８９ｂは上記４つの側面にわたって形成される。即ち、図示されたように、上記第１外部電極１８８ａ、１８８ｂは上記本体１８１の対向する両側面に夫々１つずつ形成され、上記第２外部電極１８９ａ、１８９ｂは上記本体１８１の第１及び第２面１８１ａ、１８１ｂに夫々１つずつ形成される。結果的に、上記第１及び第２外部電極１８８ａ、１８８ｂ、１８９ａ、１８９ｂは４つの側面に従って反対極性が交互に配列される。
【０１５８】
このような外部電極の配列に適合するように、上記積層型キャパシタ１８０は図２６に図示された第１及び第２内部連結導体１８２、１８３と図２７に図示された第１及び第２内部電極１８４ａ、１８４ｂ、１８５ａ、１８５ｂを有することができる。
【０１５９】
上記第１内部連結導体１８２は両側に延びた２つのリードＬ１、Ｌ２を通じて第１外部電極１８８ａ、１８８ｂの全てに連結される。これと類似に、上記第２内部連結導体１８３は２つのリードＬ３、Ｌ４を通じて第１及び第２面１８１ａ、１８１ｂに位置した第２外部電極１９９ａ、１９９ｂに全て連結される。
【０１６０】
上記第１及び第２内部電極１８４ａ、１８４ｂは夫々リードＬ１、Ｌ２を通じて１つの第１外部電極１８８ａ、１８８ｂに連結され、上記第２内部電極１８５ａ、１８５ｂは夫々リードＬ３、Ｌ４を通じて１つの第２外部電極１８９ａ、１８９ｂに連結される。このような連結を通じて上記第１及び第２内部電極１８４ａ、１８４ｂ、１８５ａ、１８５ｂは夫々同じ極性の内部連結導体１８２、１８３と電気的に連結されることができる。
【０１６１】
第１面１８１ａが実装面となり、１対の第１外部電極１８８ａ、１８８ｂ及び一つの第２外部電極１８９ａが電源ラインに連結される場合、残りの第２外部電極１８９ｂに連結された（Ｂ２）グループの内部電極１８５ａは端子連結された状態ではない。従って、上記残りの第２外部電極１８９ｂはＥＳＲ調整のための外部電極として使用することができ、さらに電源ラインに連結される場合にＥＳＲ値を低めることができる。
【０１６２】
本実施形態のように、両側面に外部電極を形成する場合には、両側面に電極は実装面で容易に連結されることができるように形成されることが好ましい。
【０１６３】
また、上記本体の第１及び第２面に少なくとも１つの外部電極が形成され、１つの実装面で１対の第１及び第２外部電極の他にさらに１つ以上の外部電極を提供し、このような外部電極はＥＳＲ調整用外部電極として使用することができる。ＥＳＲ調整用外部電極は電源ラインに連結された外部電極に連結されない内部電極に連結された外部電極で、このような電源ラインとさらなる連結を通じてＥＳＲ値を低めることができる。
【０１６４】
また、本実施形態は第１及び第２面を基準に上下対称構造を有するように設計された形態である。このような形態は、実装面を自由に選択することができるという長所を提供する。好ましくは、いずれの面を実装面に選択しても同じＥＳＲ及びＥＳＬ特性を有するように、内部電極及び内部連結導体構造も上下対称構造に形成することが好ましい。
【０１６５】
図２８ａ及び図２８ｂは夫々本発明の第７実施形態（積層方向の変形例：６端子構造）による積層型キャパシタの例を示す斜視図である。
【０１６６】
まず、図２８ａを参照すると、本実施形態による積層型キャパシタ１９０は複数の誘電体層１９１'が積層され形成されたキャパシタ本体１９１を含む。上記キャパシタ本体１９１は積層方向に従って形成された互いが反対に位置した第１及び第２面を有し、第１面は実装面として提供されることができる。
【０１６７】
本実施形態による積層型キャパシタ１９０は３つの第１外部電極１９８ａ、１９８ｂ、１９８ｃと３つの第２外部電極１９９ａ、１９９ｂ、１９９ｃを有する６端子構造で例示されている。
【０１６８】
図２８ｂには、これと類似な６端子構造を有する積層型キャパシタ２００が図示されている。図２３に図示された構造と比べ、第１及び第２外部電極２０８ａ、２０８ｂ、２０８ｃ、２０９ａ、２０９ｂ、２０９ｃのうち両角に位置した外部電極２０８ａ、２０８ｂ、２０９ａ、２０９ｂが延びた形態が相異であると理解することができる。このように、本発明に採用が可能な外部電極構造は第１面及び第２面のうち一面を実装面として提供するときに連結されることができる条件を満たすと、多様に変更されることができる。
【０１６９】
図２９及び図３０には図２８ａ及び図２８ｂに図示された構造に採用されることができる内部連結導体１９２、１９３と内部電極１９４、１９５ａ、１９５ｂ、１９５ｃが例示されている。ここでは、夫々１対ずつ例示したが夫々複数で採用されることができ、その順番も多様に変更されることができる。
【０１７０】
図２９に図示されたように、上記第１内部連結導体１９２は３つのリードＬ１、Ｌ２、Ｌ３を通じ、第２面に形成された第１外部電極１９８ａ、１９８ｂと第１面に形成された第１外部電極１９８ｃに夫々連結される。これと類似に、上記第２内部連結導体１９３は３つのリードＬ４、Ｌ５、Ｌ６を通じて第１面に形成された第２外部電極１９９ａ、１９９ｂと第２面に形成された第１外部電極１９９ｃに夫々連結される。
【０１７１】
図３０に図示された例では、上記第２内部電極１９５ａ、１９５ｂ、１９５ｃのみが夫々３つのグループに分かれ、第１内部電極１９４は第１内部連結導体１９２と類似なパターンで各グループの第２内部電極１９５ａ、１９５ｂ、１９５ｃと対をなす。
【０１７２】
上記第１内部電極１９４は第２面に形成された３つのリードＬ１、Ｌ２、Ｌ３により第１外部電極１９８ａ、１９８ｂ、１９８ｃに全て連結され、上記第２内部電極１９５ａ、１９５ｂ、１９５ｃは夫々２つのリードＬ４、Ｌ５、Ｌ６のうち異なる２つによりグループ別に同一の２つの第２外部電極１９９ａ、１９９ｂ、１９９ｃのうち異なる２つに連結される。
【０１７３】
このような構造で、第１面を実装面にし１対の第１及び第２外部電極１９８ｃ、１９９ｂを電源ラインと連結する場合、第１面に位置した残りの第２外部電極１９９ａには（Ｃ２）グループの第２内部電極１９５ｂが連結されない状態である。従って、上記第２外部電極１９９ａはＥＳＲ調整用外部電極として電源ラインと選択的に連結してＥＳＲ値を調整することができる。
【０１７４】
本実施形態による積層型キャパシタは８つ以上の端子でも具現されることができる。本実施形態と類似に、上記本体の第１及び第２面に形成された外部電極が夫々３つ以上で、少なくとも１対の第１及び第２外部電極とさらにＥＳＲを調整することができる特定のグループの内部電極に連結された構造であれば、積層方向に従って形成された面を実装面として提供する積層型キャパシタにも有益に適用されることができる。
【０１７５】
図２８ａ及び図２８ｂで内部連結導体（図２９）を採用した形態のみが例示されているが、６端子以上の構造であるため、上述の内部連結導体なしに内部電極のみで構成された例（図１１及び図１２参照）を適用することができる。
【０１７６】
上述の実施形態及び添付の図面は、好ましい実施形態の例示に過ぎず、本発明は上述の請求範囲により限定する。また、本発明は請求範囲に記載の本発明の技術的思想から外れない範囲内で多様な形態の置換、変形及び変更が可能であるということは当技術分野の通常の知識を有する者には自明である。
【図面の簡単な説明】
【０１７７】
【図１】本発明の第１実施形態による積層型キャパシタの斜視図である。
【図２】図１に図示された積層型キャパシタに採用が可能な第１及び第２内部連結導体を示す平面図である。
【図３】図２に図示された第１及び第２内部連結導体と共に使用が可能な第１及び第２内部電極を示す平面図である。
【図４】（ａ）及び（ｂ）は図１に図示された積層型キャパシタの外部電極と印刷回路基板の電源ラインの他の接続状態を示す斜視図である。
【図５】本発明の第２実施形態による積層型キャパシタの斜視図である。
【図６】図５に図示された積層型キャパシタに採用が可能な第１及び第２内部連結導体を示す平面図である。
【図７】図６に図示された第１及び第２内部連結導体と共に使用が可能な第１及び第２内部電極を示す平面図である。
【図８】本発明の第３実施形態による積層型キャパシタの斜視図である。
【図９】図８に図示された積層型キャパシタに採用が可能な第１及び第２内部連結導体を示す平面図である。
【図１０ａ】図８に図示された積層型キャパシタに図９に図示された内部連結導体と共に採用が可能な第１及び第２内部電極の例を示す平面図である。
【図１０ｂ】図８に図示された積層型キャパシタに図９に図示された内部連結導体と共に採用が可能な第１及び第２内部電極の例を示す平面図である。
【図１１】図８に図示された積層型キャパシタに独自的に（内部連結導体なく）採用が可能な第１及び第２内部電極の他の例である。
【図１２】図８に図示された積層型キャパシタに独自的に（内部連結導体なく）採用が可能な第１及び第２内部電極の他の例である。
【図１３】本発明の第４実施形態による積層型キャパシタの斜視図である。
【図１４】図１３に図示された積層型キャパシタに採用が可能な第１及び第２内部連結導体を示す平面図である。
【図１５】図１３に図示された第１及び第２内部連結導体と共に使用が可能な第１及び第２内部電極の多様な例を示す平面図である。
【図１６】図１１に図示された積層型キャパシタに独自的に採用が可能な第１及び第２内部電極の他の例を示す平面図である。
【図１７】図１１に図示された積層型キャパシタに独自的に採用が可能な第１及び第２内部電極の他の例を示す平面図である。
【図１８】本発明の第５実施形態による積層型キャパシタの斜視図である。
【図１９】図１８に図示された積層型キャパシタに採用が可能な第１及び第２内部連結導体を示す平面図である。
【図２０】図１９に図示された第１及び第２内部連結導体と共に使用が可能な第１及び第２内部電極の例を示す平面図である。
【図２１】図１８に図示された積層型キャパシタに独自的に採用が可能な第１及び第２内部電極の他の例を示す平面図である。
【図２２】図１８に図示された積層型キャパシタに独自的に採用が可能な第１及び第２内部電極の他の例を示す平面図である。
【図２３】図１８に図示された積層型キャパシタに独自的に採用が可能な第１及び第２内部電極の他の例を示す平面図である。
【図２４】図１８に図示された積層型キャパシタに独自的に採用が可能な第１及び第２内部電極の他の例を示す平面図である。
【図２５】本発明の第６実施形態（積層方向の変形例：４端子構造）による積層型キャパシタの斜視図である。
【図２６】図２５に図示された積層型キャパシタに採用が可能な第１及び第２内部連結導体を示す平面図である。
【図２７】図２６に図示された第１及び第２内部連結導体と共に使用が可能な第１及び第２内部電極を示す平面図である。
【図２８ａ】夫々本発明の第７実施形態（積層方向の変形例：６端子構造）による積層型キャパシタの例を示す斜視図である。
【図２８ｂ】夫々本発明の第７実施形態（積層方向の変形例：６端子構造）による積層型キャパシタの例を示す斜視図である。
【図２９】図２８ａ及び図２８ｂに図示された積層型キャパシタに採用が可能な第１及び第２内部連結導体を示す平面図である。
【図３０】図２９に図示された第１及び第２内部連結導体と共に使用が可能な第１及び第２内部電極を示す平面図である。
【図１】
2011181976.tif 000003
【図２】
2011181976.tif 000004
【図３】
2011181976.tif 000005
【図４】
2011181976.tif 000006
【図５】
2011181976.tif 000007
【図６】
2011181976.tif 000008
【図７】
2011181976.tif 000009
【図８】
2011181976.tif 000010
【図９】
2011181976.tif 000011
【図１０ａ】
2011181976.tif 000012
【図１０ｂ】
2011181976.tif 000013
【図１１】
2011181976.tif 000014
【図１２】
2011181976.tif 000015
【図１３】
2011181976.tif 000016
【図１４】
2011181976.tif 000017
【図１５】
2011181976.tif 000018
【図１６】
2011181976.tif 000019
【図１７】
2011181976.tif 000020
【図１８】
2011181976.tif 000021
【図１９】
2011181976.tif 000022
【図２０】
2011181976.tif 000023
【図２１】
2011181976.tif 000024
【図２２】
2011181976.tif 000025
【図２３】
2011181976.tif 000026
【図２４】
2011181976.tif 000027
【図２５】
2011181976.tif 000028
【図２６】
2011181976.tif 000029
【図２７】
2011181976.tif 000030
【図２８ａ】
2011181976.tif 000031
【図２８ｂ】
2011181976.tif 000032
【図２９】
2011181976.tif 000033
【図３０】
2011181976.tif 000034